(57)【要約】      （修正有）【課題】光のムラが少なく、スペースの制約を受ける場合でも十分に適用可能であり、また保守性に優れたエレベータ照明装置の提供。【解決手段】乗りかご１の天板３に取り付けられ、透光性材料からなる所定形状の照明板１１と、シート基板の面部に所定の間隔で複数の面発光体が配列され、その一端側が引き出し可能に巻装され、他端側に配列される１つの面発光体を照明板１１の背面側に設定するシート状光源１２とを設け、１つの面発光体の照度が低下したとき、前述した巻装されたシート状光源１２を引き出して隣接する新たな面発光体を照明板１１の背面側に設定するエレベータ照明装置。【選択図】図２
2007197210.tif 000002
【特許請求の範囲】
【請求項１】
エレベータの乗りかご内に設置されるエレベータ照明装置において、
前記乗りかごの天板に取り付けられ、透光性材料からなる所定形状の照明板と、
シート基板の面部に所定の間隔で複数の面発光体が配列され、その一端側が引き出し可能に巻装され、かつ、他端側の１つの面発光体が前記照明板の背面側に設定されるシート状光源と
を備え、前記１つの面発光体の照度が低下したとき、前記巻装されたシート状光源を引き出して隣接する新たな面発光体を前記照明板の背面側に設定することを特徴とするエレベータ照明装置。
【請求項２】
エレベータの乗りかご内に設置されるエレベータ照明装置において、
前記乗りかご内の適宜な個所に取り付けられ、透光性材料からなる情報表示体と、
シート基板の面部に所定の間隔で複数の面発光体が配列され、その一端側が引き出し可能に巻装され、かつ、他端側の１つの面発光体が前記情報表示体の背面側に設定されるシート状光源と
を備え、前記１つの面発光体の照度が低下したとき、前記巻装されたシート状光源を引き出して隣接する新たな面発光体を前記情報表示体の背面側に設定することを特徴とするエレベータ照明装置。
【請求項３】
請求項１又は請求項２に記載のエレベータ照明装置において、
前記シート状光源の引き出し側端部を巻取るための巻取軸と、
この巻取軸の一端部に取り付けられ、前記１つの面発光体の照度が低下したとき、前記巻取軸を回転させて前記シート状光源を巻取ることにより、隣接する新たな面発光体を前記照明板又は前記情報表示体の背面側に設定するクランクとを追加したことを特徴とするエレベータ照明装置。
【請求項４】
請求項３に記載のエレベータ照明装置において、
前記クランクに代えて電動機を設け、前記１つの面発光体の照度が低下したとき、当該電動機を駆動することにより、前記巻取軸を回転させて前記シート状光源を巻取るとともに、前記電動機の駆動時間又は電動機の回転数に基づいて隣接する新たな面発光体を前記照明板又は前記情報表示体の背面側に設定することを特徴とするエレベータ照明装置。
【請求項５】
請求項４に記載のエレベータ照明装置において、
前記照明板又は前記情報表示体の背面側に設定された１つの面発光体の照度を検出する照度センサと、
この照度センサで検出される照度と予め定めた照度しきい値と比較し、検出照度が照度しきい値よりも低下したとき、前記電動機を駆動する照度判定手段と、
前記電動機の駆動時間又は電動機の回転数に基づいて前記電動機の駆動を停止し、隣接する新たな面発光体を前記照明板又は前記情報表示体の背面側に設定する巻取判定制御手段とを追加したことを特徴とするエレベータ照明装置。
【請求項６】
請求項４に記載のエレベータ照明装置において、
前記照明板又は前記情報表示体の背面側に設定された１つの面発光体の照度を検出する照度センサと、
前記乗りかご側に設けられ、前記照度センサの検出照度信号を無線又は有線にてエレベータ監視室に送信する送受信手段と、
前記エレベータ監視室に設けられ、前記乗りかご側から送信されてくる検出照度信号を表示する表示手段と、
前記エレベータ監視室に設けられ、前記表示手段で表示された検出照度信号に基づいて電動機駆動信号を前記乗りかご側に無線又は有線にて送信する手段と、
前記乗りかご側に設けられ、前記送受信手段を介して受信した電動機駆動信号を受けて前記電動機を駆動するとともに、当該電動機の駆動時間又は電動機の回転数に基づいて前記電動機の駆動を停止し、隣接する新たな面発光体を前記照明板又は前記情報表示体の背面側に設定する巻取判定制御手段とを追加したことを特徴とするエレベータ照明装置。
【請求項７】
請求項１ないし請求項６の何れか一項に記載のエレベータ照明装置において、
前記面発光体は、複数のエレクトロルミネセンス発光素子を配列したことを特徴とするエレベータ照明装置。
【請求項８】
請求項１ないし請求項６の何れか一項に記載のエレベータ照明装置において、
前記面発光体は、複数のＬＥＤ素子で配列したことを特徴とするエレベータ照明装置。
【発明の詳細な説明】
【技術分野】
【０００１】
本発明は、保守性に優れた薄型の光源を用いたエレベータ照明装置に関する。
【背景技術】
【０００２】
従来のエレベータ照明装置は、図１０に示すように乗りかご１０１の天板１０２から吊り下げるように箱型形状の照明ケース１０３が取り付けられ、この照明ケース１０３内部には光源である蛍光灯１０４が収納されている。蛍光灯１０４は、天板１０２に取り付けられたランプホルダ１０５に支持され、当該ランプホルダ１０５を介して所定の電力が供給される。
【０００３】
照明ケース１０３の下面部には適宜な大きさの開口部１０３ａが設けられている。照明ケース１０３の内側下面部には開口部１０３ａを閉塞するように透光性材料からなる照明板１０６が取り付けられている。
【０００４】
このように照明板１０６と蛍光灯１０４との距離を十分に離して取り付けることにより、照明板１０６にデザイン的な考慮を施すことにより、意匠的に優れた照明装置を実現している。
【０００５】
また、従来、乗りかご内に情報表示用の情報案内ユニットが設置され、この情報案内ユニット内には蛍光灯を取り付け、背後から蛍光灯の光を表示情報に当てることにより、乗客に表示情報を明瞭に認識させるエレベータの情報案内装置が提案されている（特許文献１）。
【特許文献１】特開２００４−２０３６１４号公報
【発明の開示】
【発明が解決しようとする課題】
【０００６】
ところで、以上のような照明装置は、一般的には天板１０２に取り付ける例が多いが、種々の照明の効用を確保する観点から、乗りかご１０１内の天板１０２以外の個所，例えば特許文献１に示すように側板に取り付けることもあるが、何れの取り付け場所に拘らず、次のような問題が生じる。
【０００７】
（１）  すなわち、近年、エレベータとしては、昇降路の省スペース化の傾向に進んでおり、それに伴って乗りかご１０１の天井においてもスペースの制約を受ける例が多くなり、照明装置の薄型化が望まれている。
【０００８】
しかしながら、以上のように光源として蛍光灯１０４を用いた場合、発光面積が小さいことから、蛍光灯１０４と照明板１０６との距離を十分に確保しないと、光のムラが生じてしまう問題がある。その結果、光のムラをなくすために照明装置全体の大型化は避けられない。
【０００９】
（２）  また、蛍光灯１０４と照明板１０６との距離を十分に確保するだけでなく、蛍光灯１０４自体が大きく、蛍光灯１０４の始動時に過大な電流を必要とすることから、蛍光灯１０４を点灯する安定器を含めて全体的に大型となる。
【００１０】
（３）  また、蛍光灯１０４は、オン・オフを繰り返すたびに寿命が短くなる特性を有している。その理由は、前述するように蛍光灯１０４の始動時に過大電流を必要とし、この過大電流によって陰極が損傷する為である。その結果、蛍光灯１０４を用いた場合には、保守員が年に一回程度エレベータ設置現場に出向き、エレベータを停止するなどして蛍光灯１０４を交換している。
【００１１】
本発明は上記事情に鑑みてなされたもので、光のムラが少なく、スペースの制約を受ける場合でも十分に適用可能であり、また保守性に優れたエレベータ照明装置を提供することを目的とする。
【課題を解決するための手段】
【００１２】
（１）  上記課題を解決するために、本発明に係る照明装置は、乗りかごの天板に取り付けられ、透光性材料からなる所定形状の照明板と、シート基板の面部に所定の間隔で複数の面発光体が配列され、その一端側が引き出し可能に巻装され、かつ、他端側の１つの面発光体が前記照明板の背面側に設定されるシート状光源とを備え、前記１つの面発光体の照度が低下したとき、前記巻装されたシート状光源を引き出して隣接する新たな面発光体を前記照明板の背面側に設定するエレベータ照明装置である。
【００１３】
また、本発明に係るエレベータ照明装置は、乗りかご内の適宜な個所に取り付けられ、透光性材料からなる情報表示体と、シート基板の面部に所定の間隔で複数の面発光体が配列され、その一端側が引き出し可能に巻装され、かつ、他端側の１つの面発光体が前記情報表示体の背面側に設定されるシート状光源とを備え、前記１つの面発光体の照度が低下したとき、前記巻装されたシート状光源を引き出して隣接する新たな面発光体を前記情報表示体の背面側に設定する構成である。
【００１４】
（２）  さらに、本発明に係るエレベータ照明装置は、前述した各発明の構成に新たに、シート状光源の引き出し側端部を巻取るための巻取軸と、この巻取軸の一端部に取り付けられ、前記１つの面発光体の照度が低下したとき、前記巻取軸を回転させて前記シート状光源を巻取ることにより、隣接する新たな面発光体を前記照明板又は前記情報表示体の背面側に設定するクランクとを追加した構成であってもよい。
【００１５】
（３）  さらに、本発明に係る記載のエレベータ照明装置は、前記（２）の構成の新たに、前記クランクに代えて電動機を設け、前記１つの面発光体の照度が低下したとき、当該電動機を駆動することにより、前記巻取軸を回転させて前記シート状光源を巻取るとともに、前記電動機の駆動時間又は電動機の回転数に基づいて隣接する新たな面発光体を前記照明板又は前記情報表示体の背面側に設定する構成であってもよい。
【００１６】
（４）  前記（３）に記載するように電動機を用いてシート状光源を巻き取る場合、新たに照明板又は前記情報表示体の背面側に設定された１つの面発光体の照度を検出する照度センサと、この照度センサで検出される照度と予め定めた照度しきい値と比較し、検出照度が照度しきい値よりも低下したとき、前記電動機を駆動する照度判定手段と、前記電動機の駆動時間又は電動機の回転数に基づいて前記電動機の駆動を停止し、隣接する新たな面発光体を前記照明板又は前記情報表示体の背面側に設定する巻取判定制御手段とを追加した構成であってもよい。
【００１７】
また、前記（３）に記載するように電動機を用いてシート状光源を巻き取る場合、前記照明板又は前記情報表示体の背面側に設定された１つの面発光体の照度を検出する照度センサと、前記乗りかご側に設けられ、前記照度センサの検出照度信号を無線又は有線にてエレベータ監視室に送信する送受信手段と、前記エレベータ監視室に設けられ、前記乗りかご側から送信されてくる検出照度信号を表示する表示手段と、前記エレベータ監視室に設けられ、前記表示手段で表示された検出照度信号に基づいて電動機駆動信号を前記乗りかご側に無線又は有線にて送信する手段と、前記乗りかご側に設けられ、前記送受信手段を介して受信した電動機駆動信号を受けて前記電動機を駆動するとともに、当該電動機の駆動時間又は電動機の回転数に基づいて前記電動機の駆動を停止し、隣接する新たな面発光体を前記照明板又は前記情報表示体の背面側に設定する巻取判定制御手段とを追加した構成であってもよい。
【発明の効果】
【００１８】
本発明によれば、光ムラが少なくでき、スペースの制約を受けずに取り付け可能であり、さらに保守性に優れたエレベータ照明装置を提供できる。
【発明を実施するための最良の形態】
【００１９】
以下、本発明の実施形態について図面を参照して説明する。  
（第１の実施の形態）
図１は本発明に係るエレベータ照明装置を適用したエレベータの乗りかご内の構成図である。
【００２０】
エレベータの乗りかご１は、箱形のかごを構成する側壁部材としての側板２ａ，２ｂ，２ｃと、これら側板２ａ，２ｂ，２ｃの上端部に掛け渡された天井部材としての天板３と、これら側板２ａ，２ｂ，２ｃの下端部に掛け渡されたかご床部材としての床板４と、乗りかご１の背面を構成する背面板（図示せず）とで構成されている。
【００２１】
また、乗りかご１内の前面側に配置される側板２ｃによって形成された開口部にはかごドア５，５が取り付けられ、このかごドア５，５の上部には化粧板としての幕板６が取り付けられている。かごドア５の側方にはかご内操作盤７が設置されている。さらに、乗りかご１の天板３にはかご内を照らす照明装置８が取り付けられている。
【００２２】
図２は本発明に係るエレベータ照明装置８の一実施の形態を示す断面図である。  
この照明装置８は、天板３に形成された開口部３ａを閉塞するように当該天板３上面に添設された透光性材料からなる照明板１１と、この照明板１１の背面側に重ね合わすように配置されたシート状光源１２と、シート状光源１２の背面側に配置され、当該シート状光源１２の水平維持及び外的保護の役割を有するバックボード１３とが設けられている。
【００２３】
このバックボード１３の少なくとも図示左右端部には支持カバー１４ａ，１４ｂが設けられている。これら支持カバー１４ａ，１４ｂは、その一端側が所定の押圧力で抑えつつバックボード１３を支持するか、或いはバックボード１３と一体的に連結され、他端側が天板３にネジ止め等により固定されている。これら支持カバー１４ａ，１４ｂのうち、一方の支持カバー１４ａは断面箱型形状に形成され、他方の支持カバー１４ｂ内にはシート状光源１２に所定の電圧を供給するための電源１５から導出される２つの電源端子１６ａ，１６ｂ（端子１６ｂは図示せず）が取り付けられている。
【００２４】
シート状光源１２は、図３に示すようにシート基板１２ａの面部に、互いに独立し、かつ、前記天板３の開口部３ａの面積よりも大きな発光面積を有する複数の面発光体１２ｂ，…が所定の間隔をもって配列されている。そして、シート状光源１２の一端部（図示左端部）は、断面箱型形状に形成された支持カバー１４ａ内に回転可能に軸支された軸体１２ｃに巻装され、当該支持カバー１４ａ内部から引き出し可能に設けられている。また、シート基板１２ａに配列される各面発光体１２ｂの２辺端部には電源端子１６ａ，１６ｂと電気的に接続するための接触端子１２ｄａ、１２ｄｂが取り付けられている。
【００２５】
面発光体１２ｂの接触端子１２ｄａ、１２ｄｂは、照明板１１の背面側に面発光体１２ｂを設定したとき、電源端子１６ａ，１６ｂと自動的に接触するか、或いは電源端子１６ａ，１６ｂに挟み込まれて接触し、電源１５が供給される構成となっている。
【００２６】
次に、以上のように構成されたエレベータ照明装置８の作用について説明する。  
先ず、照明板１１の背面側に１つの面発光体１２ｂを設定する。このとき、電源１５から電源端子１６ａ，１６ｂ及び接触端子１２ｄａ，１２ｄｂを通して所定の電力が面発光体１２ｂに供給され、面発光体１２ｂが発光する。このとき、面発光体１２ｂは照明板１１と等価な面積を有しているので、面発光体１２ｂから出た光は照明板１１全体を透過してかご内に照射される。よって、乗りかご１内の光のムラを大幅に減らすことができる。
【００２７】
その後、照明板１１の背面側に設定されている面発光体１２ｂの照度が低下したとき、少なくとも一方の支持カバー１４ｂを外し、シート状光源１２の図示右端部を図示（イ）矢印方向に引っ張ると、支持カバー１４ａ内からシート状光源１２が繰り出され、隣接する新たな面発光体１２ｂが照明板１１の背面側に設定される。このとき、新たな面発光体１２ｂの２辺に取り付けた接触端子１２ｄａ，１２ｄｂは、対応する電源端子１６ａ，１６ｂと自動的に接触し、電気的な通電路が形成される。ここで、電源１５を投入すると、照明板１１の背面側に設定された新たな面発光体１２ｂが発光し、照明板１１を通してかご内に所定の照度で照射される。
【００２８】
従って、以上のような実施の形態によれば、面発光体１２ｂ全体から発する光が照明板１１全体を通してかご内に照射するので、光のムラが少なくなり、かつ、照明板１１にデザイン的な工夫を施すことによって意匠的にも優れた効果を発揮する。また、シート状光源１２であるので、非常に薄型の照明装置８を実現できる。その結果、昇降路の省スペース化，ひいては乗りかご１の天井におけるスペース上の制約を受ける場合でも、照明装置８を十分に組み込むことが可能となる。
【００２９】
さらに、シート状光源１２は、シート基板１２ａ面部に、互いに独立し、かつ、複数の面発光体１２ｂ，…が所定の間隔を有して配列されているので、１つの面発光体１２ｂから発する光の照度が低下しても、シート状光源１２を所定の長さ分だけ引き出すことにより、新たな面発光体１２ｂを照明板１１に設定でき、従来のように蛍光灯を現場に持ち込むことなく光源の交換作業が行うことができる。
【００３０】
なお、シート基板１２ａの面部に配置される各面発光体１２ｂ，…としては、複数のＥＬ（エレクトロルミネセンス）素子を面発光体１２ｂ相当の面積にわたって整然と配置することにより実現できる。
【００３１】
エレクトロルミネセンスは、所定の物質に電界、電子ビーム、Ｘ線等を与えたとき、当該物質が発光する現象を利用したものであって、例えば硫化亜鉛（ＺｎＳ）を初め多くの物質が用いられている。発光する理由は、電界等を与えることにより、物質中に存在する自由電子が加速されて励起し、エネルギーを放出することにより発光する。
【００３２】
エレクトロルミネセンスは、例えば表面側から透明保護層−透明電極−発光層（発光物質層）ほ背面電極−保護層（シート基板１２ａ）からなり、例えば１ｍｍ以下の厚さに製造することが可能である。
【００３３】
なお、電界による発光機構を分けると、真空電場発光と注入型電場発光が挙げられる。真空電場発光は、硫化亜鉛蛍光体にＣｕ，Ａｌなどを添加した粉末を誘電体（例えばＴｉＯ2）に混ぜた後、この混合粉末体を透明導電膜を付けたガラス板と金属箔とでサンドイッチ状に挟み、電極間に所定の交流電圧を加えることにより、電場によって加速された電子が発光中心に衝突する。その結果、発光励起が起き、発光中心をイオン化し、発生した電子と正孔が電圧が逆相のとき再結合し発光する。一方、電源が直流電圧の場合には、電圧を加えたとき飲み発光する。
【００３４】
注入型電場発光は、半導体単結晶，蛍光体に電極をつけ、電圧を加えると、キャリアが流れ込んで発光する。電圧は交流，直流の何れでもよい。
【００３５】
また、各面発光体１２ｂ，…の他の例としては、図４に示すように例えば複数のＬＥＤ（発光ダイオード）素子１７を面発光体１２ｂ相当の面積にわたって整然と配列することにより実現できる。
【００３６】
従って、各面発光体１２ｂ，…として、エレクトロルミネセンス素子やＬＥＤ素子を用いて構成すれば、前述したように１ｍｍないし２ｍｍ程度の薄型照明装置８を作り出すことができる。
【００３７】
（第２の実施の形態）
図５及び図６は本発明に係るエレベータ照明装置の第２の実施の形態を示す図である。図５はエレベータ照明装置の上面図、図６はエレベータ照明装置の断面図である。なお、これらの図において、図１及び図２と同一部分には同一符号を付し、その詳しい説明を省略する。
【００３８】
このエレベータ照明装置８において、特に異なるところは、もう一方の支持カバー１４ｂにおいても、支持カバー１４ａと同様に断面箱型形状に形成したものである。そして、断面箱型形状をなす支持カバー１４ｂの前後壁面に巻取軸２１が軸支され、前述したシート状光源１２の引き出し側端部を巻取る構成となっている。この巻取軸２１の一端部は断面箱型形状の支持カバー１４ｂから外側に突出され、クランク２２が着脱可能に取り付けられている。
【００３９】
このようなエレベータ照明装置８においては、照明板１１の背面側に設定される１つの面発光体１２ｂの照度が低下したとき、クランク２２を回してシート状光源１２を巻取軸２１に巻き取っていくと、シート状光源１２が図示右側方向にスライドする。そして、クランク２２を予め定める所定回数分だけ回転すると、隣接する新たな面発光体１２ｂが照明板１１の背面側に設定される。
【００４０】
従って、以上のような実施の形態によれば、第１の実施の形態と同様の効果を奏する他、１つの面発光体１２ｂの照度が低下したとき、クランク２２を回転するだけで新たな面発光体１２ｂを照明板１１の背面側に設定できる。よって、第１の実施の形態のように支持カバー１４ｂを取外すことなく、簡単、かつ迅速に光源１２の交換作業を行うことができる。また、照度が低下した面発光体１２ｂを巻取軸２１に巻き取ることにより、第１の実施の形態のように不要部分となったシート基板１２ａを切除する必要がなく、後処理の手数を省くことができる。
【００４１】
（第３の実施の形態）
図７は本発明に係るエレベータ照明装置の第３の実施の形態を示す上面図である。  
この実施の形態は、第２の実施の形態で説明したクランク２２に代えて、巻取軸２１の一方端部に直接又はギア等の回転伝達機構を介して所定の低速で回転する電動機３１が取り付けられている。
【００４２】
また、図１に示すかご内操作盤７にスイッチボックス３２が設けられているが、このスイッチボックス３２内又はかご内の適宜な個所に操作スイッチを設け、電動機用電源をオン・オフする構成である。
【００４３】
このような構成によれば、操作スイッチをオン操作すると、電動機用電源から所要の駆動電力が電動機３１に供給され、当該電動機３１が所定の低速で回転し、シート状光源１２を巻取軸２１に巻き取っていく。そして、巻取軸２１が所定の回転数分だけ回転するに相当する通電時間に達したとき、自動的に電動機用電源をオフするようにすれば、隣接する新たな面発光体１２ｂを照明板１１の背面側に設定することができる。
【００４４】
また、通電時間と関係なく、電動機３１の回転軸に回転検出器（図示せず）を設け、この回転検出器が所定の回転数となったとき、電動機電源をオフするようにしてもよい。
【００４５】
よって、この実施の形態によれば、第１及び第２の実施の形態と同様の効果を奏する他、かご上に乗ってシート状光源１２の取り作業を行う必要がなくなり、新たな面発光体１２ｂを照明板１１の背面側に設定することができる。
【００４６】
（第４の実施の形態）
図８は本発明に係るエレベータ照明装置の第４の実施の形態を説明する図である。  
このエレベータ照明装置は、乗りかご１の適宜な個所又は照明板１１とシート状光源１２との間に設置され、面発光体１２ｂから発する光の照度を測定する照度センサ４１と、面発光体１２ｂから発する光の照度低下を判定する照度しきい値を設定する照度設定部４２と、時間を計時する電子時計回路４３と、ＣＰＵで構成される照度判定手段４４及び巻取判定制御手段４５とが設けられている。４６は電動機用電源である。
【００４７】
照度判定手段４４は、所定の周期（例えば１日）ごとに照度センサ４１で測定される照度を取り込み、この測定照度と照度設定部４２に設定される照度しきい値とを比較し、測定照度が照度しきい値よりも低くなったとき、操作スイッチ４７をオン設定し、電動機３１を駆動する。巻取判定制御手段４５は、照度判定手段４４による操作スイッチ４７のオン設定信号を受けて電子時計回路４３を起動し、巻取軸２１が所定の回転数分だけ回転するに相当する通電時間に達したとき、操作スイッチ４７をオフ設定し、電動機３１を停止させる機能をもっている。
【００４８】
次に、以上のようなエレベータ照明装置の動作について説明する。  
照度判定手段４４は、常時は所定の周期ごとに照度センサ４１で測定される照度を取り込み、この測定照度と照度設定部４２の照度しきい値とを比較し、測定照度が照度しきい値よりも低くなったとき、操作スイッチ４７をオン設定するとともに、巻取判定制御手段４５にオン設定信号を送出する。ここで、巻取判定制御手段４５は、オン設定信号を受けると、電子時計回路４３を起動する。電子時計回路４３は内部発信クロックなどを計数し、時間を刻時する。
【００４９】
一方、操作スイッチ４７のオン設定により、電動機用電源４６から所定の駆動電力が電動機３１に供給される。その結果、電動機３１の回転によって巻取軸２１が回転し、シート状光源１２の引き出し側端部を巻き取っていく。そして、シート基板１２ａの面部に配列される新たな面発光体１２ｂが照明板１１の背面側に完全な状態で設定されたとき、電子時計回路４３は巻取軸２１が所定の回転数分だけ回転するに相当する時間を計数する。
【００５０】
そこで、巻取時間判定手段４５は、電子時計回路４３の計数時間が所定の時間に達したとき、操作スイッチ４７をオフとすれば、電動機３１が停止し、新たな面発光体１２ｂを照明板１１の背面側に設定できる。
【００５１】
従って、この実施の形態によれば、前述する各実施の形態と同様の効果を奏する他、１つの面発光体１２ｂの照度が低下したとき、作業員が現地に出向くことなく、自動的に新たな面発光体１２ｂに交換処理することができる。
【００５２】
なお、この実施の形態は、巻取時間からシート状光源１２の巻取り完了を判定しているが、例えば第３の実施の形態で説明したように、電動機３１の回転数を検出する回転検出器を用い、回転検出器から発生するパルス数からシート状光源１２の巻取り完了を判定してもよい。
【００５３】
また、図９に示すように、乗りかご１側に前述した照度センサ４１で測定されたアナログ照度信号をパルス符号に変換するパルス符号変調手段５１と、送受信手段５２と、巻取判定制御手段５３とを備え、パルス符号変調手段５１でデジタル変換された照度信号を送受信手段５２から無線又は有線にてエレベータ監視室又はエレベータ設置建物外の監視センタ（以下、エレベータ監視室６０と総称する）側に送信する。
【００５４】
エレベータ監視室６０は、乗りかご１側から送信されてくるデジタル変換された照度信号を受信する送受信手段６１と、この受信されたデジタル変換された復号化したアナログ照度信号に変換する復号化手段６２と、この復号化手段５２で復号化されたアナログ照度信号を表示する表示部６３と、電動機駆動信号発生手段６４とを設け、表示部６３の表示結果から面発光体１２ｂの照度が低下したと判断したとき、手動操作のもとに電動機駆動信号発生手段６４から電動機駆動信号を発生し、前記送受信手段６１を介して乗りかご１側に送信する。
【００５５】
乗りかご１側では、送受信手段５２により電動機駆動信号で受信すると、巻取判定制御手段５３に通知する。ここで、巻取判定制御手段５３は、電動機駆動信号の受信通知に基づき、操作スイッチ４７をオン設定するとともに、電子時計回路５４を起動する。その結果、電動機用電源４６から所定の駆動電力が電動機３１に供給される。その結果、電動機３１の回転によって巻取軸２１が回転し、シート状光源１２の引き出し側端部を巻き取っていく。そして、シート基板１２ａの面部に配列される新たな面発光体１２ｂが照明板１１の背面側に完全な状態で設定されたとき、電子時計回路５４３は巻取軸２１が所定の回転数分だけ回転するに相当する時間を計数する。
【００５６】
そこで、巻取時間判定手段５３は、電子時計回路５４の計数時間が所定の時間に達したとき、操作スイッチ４７をオフし、電動機３１を停止する。よって、電動機３１を停止したとき、シート基板１２ａ面部の新たな面発光体１２ｂに交換されている。
【００５７】
この実施の形態によれば、エレベータ設置場所以外のエレベータ監視室６０で面発光体１２ｂの照度低下を確認し、無線又は有線にて電動機３１を駆動し、新たな面発光体１２ｂが照明板１１の背面側に設定することができる。
【００５８】
（第５の実施の形態）
上記実施の形態では、エレベータの本来の照明装置に適用したが、図１に示すような情報表示装置７０に適用してもよい。この情報表示装置７０は、例えば側板２ａの適宜な高さ位置に設けられ、透光性材料からなる照明板１１に代わる情報表示体と、この情報表示体の背面側に重ね合わすように配置されたシート状光源１２とで構成される。
【００５９】
シート状光源１２は、図３に示すようにシート基板１２ａの面部に、互いに独立し、かつ、前述した情報表示体の面積よりも大きな発光面積を有する複数の面発光体１２ｂ，…が所定の間隔をもって配列されている。シート状光源１２は、前述した各実施の形態と同様に引き出し又は巻取可能な構成となっており、例えばシート状光源１２の引き出し側端部又は巻取り側の１つの面発光体１２ｂが情報表示体の背面側に設定されている。
【００６０】
そして、１つの面発光体１２ｂの照度が低下したとき、前述したような引き出し操作又は巻取りによって隣接する新たな面発光体１２ｂを情報表示体の背面側に設定する構成である。
【００６１】
この実施の形態によれば、かご内乗客に対して、常に高い視認性で情報を表示することができる。
【００６２】
その他、本発明は、上記実施の形態に限定されるものでなく、その要旨を逸脱しない範囲で種々変形して実施できる。前実施の形態では、天板３の上部にシート状光源１２を設置したが、例えば天板３のかご内側面部に設置してもよい。また、照明板１１は四角形の形状を想定しているが、例えば天板３の開口部３ａが円形であれば、照明板１１及び面発光体１２ｂを円形の形状としてもよい。
【００６３】
さらに、面発光体１２ｂの実施例として、エレクトロルミネセンス素子やＬＥＤ素子を挙げたが、他の発光素子であってもよいことは言うまでもない。
【図面の簡単な説明】
【００６４】
【図１】本発明に係るエレベータ照明装置を適用した乗りかご内の構成図。
【図２】本発明に係るエレベータ照明装置の第１の実施形態を示す断面図。
【図３】シート状光源の斜視図。
【図４】ＬＥＤ素子を用いたシート状光源の一例図。
【図５】本発明に係るエレベータ照明装置の第２の実施の形態を示す上面図。
【図６】本発明に係るエレベータ照明装置の第２の実施の形態を示す断面図。
【図７】本発明に係るエレベータ照明装置の第３の実施の形態を示す上面図。
【図８】本発明に係るエレベータ照明装置の第４の実施の形態を説明する電気的構成図。
【図９】本発明に係るエレベータ照明装置の第４の実施の形態を説明する他の電気的構成図。
【図１０】従来のエレベータ照明装置を示す断面図。
【符号の説明】
【００６５】
１…乗りかご、２ａ，２ｂ，２ｃ…側板、３…天板、４…床板、５…かごドア、６…幕板、７…かご内操作盤、８…照明装置、１１…照明板、１２…シート状光源、１２ａ…シート基板、１２ｂ…面発光体、１３…バックボード、１４ａ，１４ｂ…支持カバー、１５電源、２１…巻取軸、２２…クランク、３１…電動機、３２…スイッチボックス、４１…照度センサ、４２…照度設定部、４３…電子時計回路、４４…照度判定手段、４５…巻取判定制御手段、４６…電動機用電源、４７…操作スイッチ、５１…パルス符号変調手段、５２…送受信手段、５３…巻取判定制御手段、５４…電子時計回路、６０…エレベータ監視室、６１…送受信手段、６２…復号化手段、６３…表示部、６４…電動機駆動信号発生手段、７０…情報表示装置。
【図１】
2007197210.tif 000003
【図２】
2007197210.tif 000004
【図３】
2007197210.tif 000005
【図４】
2007197210.tif 000006
【図５】
2007197210.tif 000007
【図６】
2007197210.tif 000008
【図７】
2007197210.tif 000009
【図８】
2007197210.tif 000010
【図９】
2007197210.tif 000011
【図１０】
2007197210.tif 000012